(57)【要約】【目的】スループットの向上およびシステム容量の増加を図ることができる無線パケット通信装置を提供することを目的とする。【構成】無線パケット通信装置において、伝送速度制御手段は、速度増加しきい値Ｕ、速度低下しきい値Ｄ、速度定着しきい値Ｆの３つの定数ならびにタイマーを有し、かつ、通常状態、速度増加監視状態、速度低下監視状態のうちのいずれかの状態にあり、通信品質が良好であると判断して伝送速度を増加させた後、安定的に通信が行えなかった場合に、直ちに直前の伝送速度に戻すことができるように構成する。【選択図】　　　　　図１
2004015783.tif 000002
【特許請求の範囲】
【請求項１】
送信信号の伝送速度を制御する伝送速度制御手段と、前記伝送速度制御手段の制御信号が指定する伝送速度に従って入力された送信データを変調し無線パケット信号を生成する送信器と、前記送信器の送信出力端子と受信器の受信入力端子を接続され、送信時には前記送信出力端子を共通端子に接続し、受信時には前記受信入力端子を共通端子に接続する送受切替器と、前記送受切替器の受信入力端子に接続され、受信した無線パケット信号を復調して受信データを出力する受信器と、アンテナと、正しく受信したデータに対する到達確認信号の返送を含む通信手順の処理を行う無線プロトコル処理手段と、を備え、
前記伝送速度制御手段が、送信器より入力された送信通知と受信器より入力された前記到達確認信号の受信通知との比較を行うことにより、通信品質を判定し、当該判定の結果に基づき、次に送信する無線パケット信号を生成する際の伝送速度を決定する、無線パケット通信装置において、
前記伝送速度制御手段は、
速度増加しきい値Ｕ、速度低下しきい値Ｄ、速度定着しきい値Ｆの３つの定数ならびにタイマーを有し、かつ、通常状態、速度増加監視状態、速度低下監視状態のうちのいずれかの状態にあり、
前記通常状態の場合であって、かつ、前記送信器より入力された送信通知と前記受信器より入力された到達確認信号の受信通知とを比較した結果、無線パケット信号の送信成功が前記速度増加しきい値Ｕに規定される回数以上連続的に観測された場合（以下、「（ａ−１）の場合」という。）には、
通信品質が極めて良好であると判断し、使用中の伝送速度よりも高い速度が利用可能であれば、使用する伝送速度を一段階高い速度に変更するとともに前記タイマーを始動し速度増加監視状態への遷移を行い、一方、使用中の伝送速度が利用可能な最高の伝送速度であれば現在の状態を維持し、
前記通常状態の場合であって、かつ、前記送信器より入力された送信通知と前記受信器より入力された到達確認信号の受信通知とを比較した結果、無線パケット信号の送信失敗が前記速度低下しきい値Ｄに規定される回数以上連続的に観測された場合（以下、「（ａ−２）の場合」という。）には、
通信品質が劣化したと判断し、使用中の伝送速度よりも低い速度が利用可能であれば、使用する伝送速度を一段階低い伝送速度に変更するとともに前記タイマーを始動し速度低下監視状態への遷移を行い、一方、使用中の伝送速度が利用可能な最低の伝送速度であれば現在の状態を維持し、
前記通常状態の場合であって、かつ、上記（ａ−１）の場合および（ａ−２）の場合以外の場合には、通常状態を維持し、
また、前記速度増加監視状態にあって、かつ、前記送信器より入力された送信通知と前記受信器より入力された到達確認信号の受信通知とを比較した結果、無線パケット信号の連続的な送信成功が前記速度定着しきい値Ｆに規定される回数に満たなかった場合（以下「（ｂ−１）の場合」という。）には、
使用する伝送速度を一段階低い伝送速度に変更するとともに前記タイマーを停止し通常状態への遷移を行い、
前記速度増加監視状態にあって、かつ、前記送信器より入力された送信通知と前記受信器より入力された到達確認信号の受信通知とを比較した結果、無線パケット信号の送信成功が前記速度増加しきい値Ｕに規定される回数以上連続的に観測された場合（以下、「（ｂ−２）の場合」という。）には、
通信品質が極めて良好であると判断し、使用中の伝送速度よりも高い速度が利用可能であれば、使用する伝送速度を一段階高い速度に変更して現在の状態を維持し、一方、使用中の伝送速度が利用可能な最高の伝送速度であれば、前記タイマーを停止し通常状態への遷移を行い、
前記速度増加監視状態にあって、かつ、前記タイマーのタイムアウトにより、本状態への遷移後の経過時間が規定値Ｔ１を越えたことを確認した場合（以下、「（ｂ−３）の場合」という。）には、通常状態への遷移を行い、
前記速度増加監視状態にあって、かつ、前記（ｂ−１）の場合および（ｂ−２）の場合および（ｂ−３）の場合以外の場合には、速度増加監視状態を維持し、
さらに、前記速度低下監視状態であって、かつ、前記送信器より入力された送信通知と前記受信器より入力された到達確認信号の受信通知とを比較した結果、無線パケット信号の送信失敗が前記速度低下しきい値Ｄに規定される回数以上連続的に観測された場合（以下、「（ｃ−１）の場合」という。）には、
通信品質が劣化したと判断し、使用中の伝送速度よりも低い速度が利用可能であれば、使用する伝送速度を一段階低い速度に変更して現在の状態を維持し、一方、使用中の伝送速度が利用可能な最低の伝送速度であれば、前記タイマーを停止し通常状態への遷移を行い、
前記速度低下監視状態であって、かつ、前記送信器より入力された送信通知と前記受信器より入力された到達確認信号の受信通知とを比較した結果、無線パケット信号の送信成功が前記速度増加しきい値Ｕに規定される回数以上連続的に観測された場合（以下、「（ｃ−２）の場合」という。）には、
通信品質が極めて良好であると判断し、前記タイマーを停止し通常状態への遷移をおこない、
前記速度低下監視状態であって、かつ、前記タイマーのタイムアウトにより、本状態への遷移後の経過時間が規定値Ｔ２を越えたことを確認した場合（以下、「（ｃ−３）の場合」という。）には、通常状態への遷移を行い、
前記速度低下監視状態であって、かつ、前記（ｃ−１）の場合および（ｃ−２）の場合および（ｃ−３）の場合以外の場合には、速度低下監視状態を維持する、
ことを特徴とする無線パケット通信装置。
【請求項２】
前記伝送速度制御手段は、速度増加しきい値Ｕｉ（ｉ＝１、２、・・・、ｎ）、速度低下しきい値Ｄｉ（ｉ＝１、２、・・・、ｎ）、速度定着しきい値Ｆｉ（ｉ＝１、２、・・・、ｎ）、
ならびに、使用する速度増加しきい値Ｕｉ（ｉ＝１、２、・・・、ｎ）と伝送速度との対応、使用する速度低下しきい値Ｄｉ（ｉ＝１、２、・・・、ｎ）と伝送速度との対応、使用する速度定着しきい値Ｆｉ（ｉ＝１、２、・・・、ｎ）と伝送速度との対応、
を管理し、
現在使用している伝送速度に応じて前記速度増加しきい値、速度低下しきい値、速度定着しきい値の値を動的に変更することを特徴とする請求項１に記載の無線パケット通信装置。
【請求項３】
送信信号の伝送速度と送信するアンテナの選択とを制御する伝送速度及びアンテナ切替制御手段と、前記伝送速度及びアンテナ切替制御手段の制御信号が指定する伝送速度に従って入力された送信データを変調し無線パケット信号を生成する送信器と、前記送信器の送信出力端子と受信器の受信入力端子を接続され、送信時には前記送信出力端子を共通端子に接続し、受信時には前記受信入力端子を共通端子に接続する送受切替器と、複数のアンテナを接続され、前記伝送速度及びアンテナ切替制御手段から入力された制御信号に従って複数のアンテナの中から一のアンテナを選択して前記送受切替器の共通端子と接続するアンテナ切替器と、前記送受切替器の受信入力端子に接続され、受信した無線パケット信号を復調して受信データを出力する受信器と、正しく受信したデータに対する到達確認信号の返送を含む通信手順の処理を行う無線プロトコル処理手段と、を備え、
前記伝送速度制御手段が、送信器より入力された送信通知と受信器より入力された前記到達確認信号の受信通知との比較を行うことにより、通信品質を判定し、当該判定の結果に基づき、次に送信する無線パケット信号を生成する際の伝送速度を決定する無線パケット通信装置において、
前記伝送速度制御手段は、速度増加しきい値Ｕ、速度低下しきい値Ｄ、速度定着しきい値Ｆの３つの定数ならびにタイマーを有し、かつ、通常状態、アンテナ切替監視状態、速度増加監視状態、速度低下監視状態のうちのいずれかの状態にあり、
前記通常状態であって、かつ、前記送信器より入力された送信通知と前記受信器より入力された到達確認信号の受信通知とを比較した結果、無線パケット信号の送信成功が前記速度増加しきい値Ｕに規定される回数以上連続的に観測された場合（以下、「（ａ２−１）の場合」という。）には、
通信品質が極めて良好であると判断し、使用中の伝送速度よりも高い速度が利用可能であれば、使用する伝送速度を一段階高い速度に変更するとともに、前記タイマーを始動し速度増加監視状態への遷移を行い、一方、使用中の伝送速度が利用可能な最高の伝送速度であれば、通常状態を維持し、
前記通常状態であって、かつ、前記送信器より入力された送信通知と前記受信器より入力された到達確認信号の受信通知とを比較した結果、無線パケット信号の送信失敗が前記速度低下しきい値Ｄに規定される回数以上連続的に観測された場合（以下、「（ａ２−２）の場合」という。）には、
通信品質が劣化したと判断し、使用中の伝送速度よりも低い速度が利用可能であれば、使用する伝送速度を一段階低い伝送速度に変更するとともに前記タイマーを始動し速度低下監視状態への遷移を行い、一方、使用中の伝送速度が利用可能な最低の伝送速度であれば、現在の状態を維持し、
前記通常状態であって、かつ、前記（ａ２−１）の場合および（ａ２−２）の場合以外の場合には、通常状態を維持し、
前記速度増加監視状態であって、かつ、前記送信器より入力された送信通知と前記受信器より入力された到達確認信号の受信通知とを比較した結果、無線パケット信号の連続的な送信成功が前記速度定着しきい値Ｆに規定される回数に満たなかった場合（以下、「（ｂ２−１）の場合」という。）には、
使用する伝送速度を一段階低い伝送速度に変更するとともに前記タイマーを停止し通常状態への遷移を行い、
前記速度増加監視状態であって、かつ、前記送信器より入力された送信通知と前記受信器より入力された到達確認信号の受信通知と比較した結果、無線パケット信号の送信成功が前記速度増加しきい値Ｕに規定される回数以上連続的に観測された場合（以下、「（ｂ２−２）の場合」という。）には、
通信品質が極めて良好であると判断し、使用中の伝送速度よりも高い速度が利用可能であれば、使用する伝送速度を一段階高い速度に変更して現在の状態を維持し、一方、使用中の伝送速度が利用可能な最高の伝送速度であれば、前記タイマーを停止し通常状態への遷移を行い、
前記速度増加監視状態であって、かつ、前記タイマーのタイムアウトにより、本状態への遷移後の経過時間が規定値Ｔｌを越えたことを確認した場合（以下、「（ｂ２−３）の場合」という。）には、通常状態への遷移を行い、
前記速度増加監視状態であって、かつ、前記（ｂ２−１）の場合および（ｂ２−２）の場合および（ｂ２−３）の場合以外の場合には、速度増加監視状態を維持し、
前記アンテナ切替監視状態であって、かつ、前記送信器より入力された送信通知と前記受信器より入力された到達確認信号の受信通知とを比較した結果、無線パケット信号の送信成功が前記速度増加しきい値Ｕに規定される回数以上連続的に観測された場合（以下、「（ｃ２−１）の場合」という。）には、
通信品質が極めて良好であると判断し、前記タイマーを停止し通常状態への遷移をおこない、
前記アンテナ切替監視状態であって、かつ、前記送信器より入力された送信通知と前記受信器より入力された到達確認信号の受信通知とを比較した結果、無線パケット信号の送信失敗が前記速度低下しきい値Ｄに規定される回数以上連続的に観測された場合（以下、「（ｃ２−２）の場合」という。）には、
通信品質が劣化したと判断し、これまで使用していたアンテナとは異なるアンテナへの切替を実行するとともに、使用中の伝送速度よりも低い伝送速度が使用可能であれば、使用する伝送速度を一段階低い伝送速度に変更し、前記タイマーを再始動して速度低下監視状態への遷移を行い、一方、使用中の伝送速度が最低速度であれば、前記タイマーを停止し通常状態への状態遷移を行い、
前記アンテナ切替監視状態であって、かつ、前記タイマーのタイムアウトにより、本状態への遷移後の経過時間が規定値Ｔ３を越えたことを確認した場合（以下、「（ｃ２−３）の場合」という。）には、通常状態への状態遷移を行い、
前記アンテナ切替監視状態であって、かつ、前記（ｃ２−１）の場合および（ｃ２−２）の場合および（ｃ２−３）の場合以外の場合には、アンテナ切替監視状態を維持し、
前記速度低下監視状態であって、かつ、前記送信器より入力された送信通知と前記受信器より入力された到達確認信号の受信通知とを比較した結果、無線パケット信号の送信失敗が前記速度低下しきい値Ｄに規定される回数以上連続的に観測された場合（以下、「（ｄ２−１）の場合」という。）には、
通信品質が劣化したと判断し、現在使用している伝送速度よりも低い速度が利用可能であれば、使用する伝送速度を一段階低い速度に変更して現在の状態を維持し、一方、現在使用している伝送速度が利用可能な最低の伝送速度であれば、前記タイマーを停止し通常状態への遷移を行い、
前記速度低下監視状態であって、かつ、前記送信器より入力された送信通知と前記受信器より入力された到達確認信号の受信通知とを比較した結果、無線パケット信号の送信成功が前記速度増加しきい値Ｕに規定される回数以上連続的に観測された場合（以下、「（ｄ２−２）の場合」という。）には、
通信品質が極めて良好であると判断し、前記タイマーを停止し通常状態への遷移をおこない、
前記速度低下監視状態であって、かつ、前記タイマーのタイムアウトにより、本状態への遷移後の経過時間が規定値Ｔ２を越えたことを確認した場合（以下、「（ｄ２−３）の場合」という。）には、通常状態への遷移を行い、
前記速度低下監視状態であって、かつ、前記（ｄ２−１）の場合および（ｄ２−２）の場合および（ｄ２−３）の場合以外の場合には、速度低下監視状態を維持する、
ことを特徴とする無線パケット通信装置。
【請求項４】
前記伝送速度及びアンテナ切替制御手段は、
速度増加しきい値Ｕｉ（ｉ＝１、２、・・・、ｎ）、速度低下しきい値Ｄｉ（ｉ＝１、２、・・・、ｎ）、速度定着しきい値Ｆｉ（ｉ＝１、２、・・・、ｎ）、
ならびに、使用する速度増加しきい値Ｕｉ（ｉ＝１、２、・・・、ｎ）と伝送速度との対応、使用する速度低下しきい値Ｄｉ（ｉ＝１、２、・・・、ｎ）と伝送速度との対応、使用する速度定着しきい値Ｆｉ（ｉ＝１、２、・・・、ｎ）と伝送速度との対応、
を管理し、
現在使用している伝送速度に応じて前記速度増加しきい値、速度低下しきい値、速度定着しきい値の値を動的に変更することを特徴とする請求項３に記載の無線パケット通信装置。
【発明の詳細な説明】
【０００１】
【発明の属する技術分野】
本発明は、無線パケット通信装置に関し、特に、利用可能な複数の伝送速度の中から一の伝送速度を選択してデータの送信を行う無線パケット通信装置に関する。
【０００２】
【従来の技術】
無線パケット通信は、ＩＥＥＥ８０２．１１無線ＬＡＮをはじめとする様々なシステムで採用されている通信形態である。ＩＥＥＥ８０２．１１ａやＩＥＥＥ８０２．１１ｂ規格の物理層は、マルチレートをサポートする伝送速度制御手段を有してしており、この伝送速度制御手段は、送信するパケット毎に、利用可能な伝送速度（たとえば、ＩＥＥＥ８０２．１１ａ規格においては、利用可能な伝送速度として、６Ｍ、９Ｍ、１２Ｍ、１８Ｍ、２４Ｍ、３６Ｍ、４８Ｍ、５４Ｍｂｉｔ／ｓの８種類が規定されている。）の中から一の伝送速度を選択して使用する。
【０００３】
図５は、上記伝送速度制御手段を有する従来の無線パケット通信装置の例を示す図である。
送信器５１０に入力された送信データは、伝送速度制御手段５５０が指示する伝送速度で変調が行われ、送受切替器５３０を介してアンテナ５４０から送信される。
【０００４】
無線通信においては、一般に、より高速な伝送速度を使用する場合には、より高い通信品質が必要となる。
したがって、ある一つの通信品質が、ある伝送速度で安定的に通信を行うという観点からは良好であるが、その伝送速度の一つ上の伝送速度で通信を行うという観点からは劣悪であるという場合が存在する。
【０００５】
このため、前記伝送速度制御手段５５０は、通信品質の良悪に応じて伝送速度を制御すべく、内部に速度増加しきい値と速度低下しきい値を有し、送信器５１０から入力される送信データの送信通知と受信器５２０から入力される前記送信データに対する到達確認信号の受信通知とを比較することで、伝送路における通信品質を判定し（通信品質の判定には、たとえば、搬送波対雑音電力比（Ｓ／Ｎ：Ｓｉｇｎａｌ　ｔｏ　Ｎｏｉｓｅ　ｒａｔｉｏ）を用いる。）、この判定した通信品質の良悪に基づいて伝送速度の制御を行う。
【０００６】
具体的には、伝送速度制御手段５５０は、前記送信通知に対応する前記到達確認信号の受信通知が前記送信通知の入力があってから一定時間以内に入力された場合に、データ送信が成功したものと判断する。
【０００７】
そして、前記伝送速度制御手段５５０は、無線パケットの送信が速度増加しきい値に規定される回数に渡り連続的に成功した場合には、通信品質が極めて良好であると判断し、使用する伝送速度を１段階増加するという制御を行う。
【０００８】
一方、前記伝送速度制御手段５５０は、無線パケットの送信が速度低下しきい値に規定される回数に渡り連続的に失敗した場合には、通信品質が極めて劣悪であると判断し、使用する伝送速度を一段低下させるという制御を行う。
【０００９】
なお、この場合、従来の無線パケット通信における前記伝送速度制御手段５５０の中には、通信品質が改善した場合でも、伝送速度を増加させるための条件を厳しくして、伝送速度の変更が頻繁に行われることを防止し、通信の安定化を行うものも存在する。
【００１０】
【発明が解決しようとする課題】
しかし、過去のデータ送信結果から通信品質を判定し、この判定した通信品質の良悪に基づいて伝送速度の決定を行うという従来の無線パケット通信装置、すなわち、ある伝送速度におけるデータの送信に基づき通信品質を判定し、この判定した通信品質の良悪に基づいて次の送信データの伝送速度を増加させるという従来の無線パケット通信装置では、通信品質が、当該伝送速度の増加後の伝送速度で通信を行うという観点からは劣悪である場合がある。
【００１１】
この場合、従来の無線パケット通信装置における送受信側は送信されたデータを正しく復調することができず、到達確認は受信側から送信側に返されない。
一方、従来の無線パケット通信装置における送信側は、送信データに対する到達確認がある一定の回数以上に渡り連続的に返らなかった場合でなければ伝送速度を以前の値に戻さない。
【００１２】
したがって、従来の無線パケット通信装置においては、伝送速度が以前の値に戻るまでのデータの送信が、すべて失敗することになる事態が生じ得る。
よって、従来の無線パケット通信装置においては、送受信間の通信リンクの観点からはスループットの低下が、また、無線ＬＡＮのようなシステム全体の観点からはシステム容量の減少が、深刻な問題となっていた。
【００１３】
そこで、本発明は、かかる事情に鑑み、スループットの向上およびシステム容量の増加を図ることができる無線パケット通信装置を提供することを目的とする。
【００１４】
【課題を解決するための手段】
本発明によれば、上記課題は、前記特許請求の範囲に記載の手段により解決される。
【００１５】
すなわち、請求項１に記載の発明は、送信信号の伝送速度を制御する伝送速度制御手段と、前記伝送速度制御手段の制御信号が指定する伝送速度に従って入力された送信データを変調し無線パケット信号を生成する送信器と、前記送信器の送信出力端子と受信器の受信入力端子を接続され、送信時には前記送信出力端子を共通端子に接続し、受信時には前記受信入力端子を共通端子に接続する送受切替器と、前記送受切替器の受信入力端子に接続され、受信した無線パケット信号を復調して受信データを出力する受信器と、アンテナと、正しく受信したデータに対する到達確認信号の返送を含む通信手順の処理を行う無線プロトコル処理手段と、を備え、
前記伝送速度制御手段が、送信器より入力された送信通知と受信器より入力された前記到達確認信号の受信通知との比較を行うことにより、通信品質を判定し、当該判定の結果に基づき、次に送信する無線パケット信号を生成する際の伝送速度を決定する、無線パケット通信装置において、
前記伝送速度制御手段は、
速度増加しきい値Ｕ、速度低下しきい値Ｄ、速度定着しきい値Ｆの３つの定数ならびにタイマーを有し、かつ、通常状態、速度増加監視状態、速度低下監視状態のうちのいずれかの状態にあり、
前記通常状態の場合であって、かつ、前記送信器より入力された送信通知と前記受信器より入力された到達確認信号の受信通知とを比較した結果、無線パケット信号の送信成功が前記速度増加しきい値Ｕに規定される回数以上連続的に観測された場合（以下、「（ａ−１）の場合」という。）には、
通信品質が極めて良好であると判断し、使用中の伝送速度よりも高い速度が利用可能であれば、使用する伝送速度を一段階高い速度に変更するとともに前記タイマーを始動し速度増加監視状態への遷移を行い、一方、使用中の伝送速度が利用可能な最高の伝送速度であれば現在の状態を維持し、
前記通常状態の場合であって、かつ、前記送信器より入力された送信通知と前記受信器より入力された到達確認信号の受信通知とを比較した結果、無線パケット信号の送信失敗が前記速度低下しきい値Ｄに規定される回数以上連続的に観測された場合（以下、「（ａ−２）の場合」という。）には、
通信品質が劣化したと判断し、使用中の伝送速度よりも低い速度が利用可能であれば、使用する伝送速度を一段階低い伝送速度に変更するとともに前記タイマーを始動し速度低下監視状態への遷移を行い、一方、使用中の伝送速度が利用可能な最低の伝送速度であれば現在の状態を維持し、
前記通常状態の場合であって、かつ、上記（ａ−１）の場合および（ａ−２）の場合以外の場合には、通常状態を維持し、
また、前記速度増加監視状態にあって、かつ、前記送信器より入力された送信通知と前記受信器より入力された到達確認信号の受信通知とを比較した結果、無線パケット信号の連続的な送信成功が前記速度定着しきい値Ｆに規定される回数に満たなかった場合（以下「（ｂ−１）の場合」という。）には、
使用する伝送速度を一段階低い伝送速度に変更するとともに前記タイマーを停止し通常状態への遷移を行い、
前記速度増加監視状態にあって、かつ、前記送信器より入力された送信通知と前記受信器より入力された到達確認信号の受信通知とを比較した結果、無線パケット信号の送信成功が前記速度増加しきい値Ｕに規定される回数以上連続的に観測された場合（以下、「（ｂ−２）の場合」という。）には、
通信品質が極めて良好であると判断し、使用中の伝送速度よりも高い速度が利用可能であれば、使用する伝送速度を一段階高い速度に変更して現在の状態を維持し、一方、使用中の伝送速度が利用可能な最高の伝送速度であれば、前記タイマーを停止し通常状態への遷移を行い、
前記速度増加監視状態にあって、かつ、前記タイマーのタイムアウトにより、本状態への遷移後の経過時間が規定値Ｔ１を越えたことを確認した場合（以下、「（ｂ−３）の場合」という。）には、通常状態への遷移を行い、
前記速度増加監視状態にあって、かつ、前記（ｂ−１）の場合および（ｂ−２）の場合および（ｂ−３）の場合以外の場合には、速度増加監視状態を維持し、
さらに、前記速度低下監視状態であって、かつ、前記送信器より入力された送信通知と前記受信器より入力された到達確認信号の受信通知とを比較した結果、無線パケット信号の送信失敗が前記速度低下しきい値Ｄに規定される回数以上連続的に観測された場合（以下、「（ｃ−１）の場合」という。）には、
通信品質が劣化したと判断し、使用中の伝送速度よりも低い速度が利用可能であれば、使用する伝送速度を一段階低い速度に変更して現在の状態を維持し、一方、使用中の伝送速度が利用可能な最低の伝送速度であれば、前記タイマーを停止し通常状態への遷移を行い、
前記速度低下監視状態であって、かつ、前記送信器より入力された送信通知と前記受信器より入力された到達確認信号の受信通知とを比較した結果、無線パケット信号の送信成功が前記速度増加しきい値Ｕに規定される回数以上連続的に観測された場合（以下、「（ｃ−２）の場合」という。）には、
通信品質が極めて良好であると判断し、前記タイマーを停止し通常状態への遷移をおこない、
前記速度低下監視状態であって、かつ、前記タイマーのタイムアウトにより、本状態への遷移後の経過時間が規定値Ｔ２を越えたことを確認した場合（以下、「（ｃ−３）の場合」という。）には、通常状態への遷移を行い、
前記速度低下監視状態であって、かつ、前記（ｃ−１）の場合および（ｃ−２）の場合および（ｃ−３）の場合以外の場合には、速度低下監視状態を維持する、ことを特徴とする無線パケット通信装置である。
【００１６】
請求項１に記載の発明によれば、伝送速度制御手段は、従来とは異なり、伝送速度定着しきい値を有し、通信品質が良好であると判断して伝送速度を増加させた後、安定的に通信が行えなかった場合に、直ちに直前の伝送速度に戻す制御を行う。
【００１７】
請求項２に記載の発明は、前記伝送速度制御手段は、速度増加しきい値Ｕｉ（ｉ＝１、２、・・・、ｎ）、速度低下しきい値Ｄｉ（ｉ＝１、２、・・・、ｎ）、速度定着しきい値Ｆｉ（ｉ＝１、２、・・・、ｎ）、
ならびに、使用する速度増加しきい値Ｕｉ（ｉ＝１、２、・・・、ｎ）と伝送速度との対応、使用する速度低下しきい値Ｄｉ（ｉ＝１、２、・・・、ｎ）と伝送速度との対応、使用する速度定着しきい値Ｆｉ（ｉ＝１、２、・・・、ｎ）と伝送速度との対応、
を管理し、
現在使用している伝送速度に応じて前記速度増加しきい値、速度低下しきい値、速度定着しきい値の値を動的に変更することを特徴とする請求項１に記載の無線パケット通信装置である。
【００１８】
請求項２に記載の発明によれば、伝送速度制御手段は、従来とは異なり、複数の速度増加しきい値、速度低下しきい値、および速度定着しきい値を有し、使用している伝送速度に応じて、速度増加しきい値、速度低下しきい値、および速度定着しきい値の値を使い分ける。
【００１９】
請求項３に記載の発明は、送信信号の伝送速度と送信するアンテナの選択とを制御する伝送速度及びアンテナ切替制御手段と、前記伝送速度及びアンテナ切替制御手段の制御信号が指定する伝送速度に従って入力された送信データを変調し無線パケット信号を生成する送信器と、前記送信器の送信出力端子と受信器の受信入力端子を接続され、送信時には前記送信出力端子を共通端子に接続し、受信時には前記受信入力端子を共通端子に接続する送受切替器と、複数のアンテナを接続され、前記伝送速度及びアンテナ切替制御手段から入力された制御信号に従って複数のアンテナの中から一のアンテナを選択して前記送受切替器の共通端子と接続するアンテナ切替器と、前記送受切替器の受信入力端子に接続され、受信した無線パケット信号を復調して受信データを出力する受信器と、正しく受信したデータに対する到達確認信号の返送を含む通信手順の処理を行う無線プロトコル処理手段と、を備え、
前記伝送速度制御手段が、送信器より入力された送信通知と受信器より入力された前記到達確認信号の受信通知との比較を行うことにより、通信品質を判定し、当該判定の結果に基づき、次に送信する無線パケット信号を生成する際の伝送速度を決定する無線パケット通信装置において、
前記伝送速度制御手段は、速度増加しきい値Ｕ、速度低下しきい値Ｄ、速度定着しきい値Ｆの３つの定数ならびにタイマーを有し、かつ、通常状態、アンテナ切替監視状態、速度増加監視状態、速度低下監視状態のうちのいずれかの状態にあり、
前記通常状態であって、かつ、前記送信器より入力された送信通知と前記受信器より入力された到達確認信号の受信通知とを比較した結果、無線パケット信号の送信成功が前記速度増加しきい値Ｕに規定される回数以上連続的に観測された場合（以下、「（ａ２−１）の場合」という。）には、
通信品質が極めて良好であると判断し、使用中の伝送速度よりも高い速度が利用可能であれば、使用する伝送速度を一段階高い速度に変更するとともに、前記タイマーを始動し速度増加監視状態への遷移を行い、一方、使用中の伝送速度が利用可能な最高の伝送速度であれば、通常状態を維持し、
前記通常状態であって、かつ、前記送信器より入力された送信通知と前記受信器より入力された到達確認信号の受信通知とを比較した結果、無線パケット信号の送信失敗が前記速度低下しきい値Ｄに規定される回数以上連続的に観測された場合（以下、「（ａ２−２）の場合」という。）には、
通信品質が劣化したと判断し、使用中の伝送速度よりも低い速度が利用可能であれば、使用する伝送速度を一段階低い伝送速度に変更するとともに前記タイマーを始動し速度低下監視状態への遷移を行い、一方、使用中の伝送速度が利用可能な最低の伝送速度であれば、現在の状態を維持し、
前記通常状態であって、かつ、前記（ａ２−１）の場合および（ａ２−２）の場合以外の場合には、通常状態を維持し、
前記速度増加監視状態であって、かつ、前記送信器より入力された送信通知と前記受信器より入力された到達確認信号の受信通知とを比較した結果、無線パケット信号の連続的な送信成功が前記速度定着しきい値Ｆに規定される回数に満たなかった場合（以下、「（ｂ２−１）の場合」という。）には、
使用する伝送速度を一段階低い伝送速度に変更するとともに前記タイマーを停止し通常状態への遷移を行い、
前記速度増加監視状態であって、かつ、前記送信器より入力された送信通知と前記受信器より入力された到達確認信号の受信通知と比較した結果、無線パケット信号の送信成功が前記速度増加しきい値Ｕに規定される回数以上連続的に観測された場合（以下、「（ｂ２−２）の場合」という。）には、
通信品質が極めて良好であると判断し、使用中の伝送速度よりも高い速度が利用可能であれば、使用する伝送速度を一段階高い速度に変更して現在の状態を維持し、一方、使用中の伝送速度が利用可能な最高の伝送速度であれば、前記タイマーを停止し通常状態への遷移を行い、
前記速度増加監視状態であって、かつ、前記タイマーのタイムアウトにより、本状態への遷移後の経過時間が規定値Ｔｌを越えたことを確認した場合（以下、「（ｂ２−３）の場合」という。）には、通常状態への遷移を行い、
前記速度増加監視状態であって、かつ、前記（ｂ２−１）の場合および（ｂ２−２）の場合および（ｂ２−３）の場合以外の場合には、速度増加監視状態を維持し、
前記アンテナ切替監視状態であって、かつ、前記送信器より入力された送信通知と前記受信器より入力された到達確認信号の受信通知とを比較した結果、無線パケット信号の送信成功が前記速度増加しきい値Ｕに規定される回数以上連続的に観測された場合（以下、「（ｃ２−１）の場合」という。）には、
通信品質が極めて良好であると判断し、前記タイマーを停止し通常状態への遷移をおこない、
前記アンテナ切替監視状態であって、かつ、前記送信器より入力された送信通知と前記受信器より入力された到達確認信号の受信通知とを比較した結果、無線パケット信号の送信失敗が前記速度低下しきい値Ｄに規定される回数以上連続的に観測された場合（以下、「（ｃ２−２）の場合」という。）には、
通信品質が劣化したと判断し、これまで使用していたアンテナとは異なるアンテナへの切替を実行するとともに、使用中の伝送速度よりも低い伝送速度が使用可能であれば、使用する伝送速度を一段階低い伝送速度に変更し、前記タイマーを再始動して速度低下監視状態への遷移を行い、一方、使用中の伝送速度が最低速度であれば、前記タイマーを停止し通常状態への状態遷移を行い、
前記アンテナ切替監視状態であって、かつ、前記タイマーのタイムアウトにより、本状態への遷移後の経過時間が規定値Ｔ３を越えたことを確認した場合（以下、「（ｃ２−３）の場合」という。）には、通常状態への状態遷移を行い、
前記アンテナ切替監視状態であって、かつ、前記（ｃ２−１）の場合および（ｃ２−２）の場合および（ｃ２−３）の場合以外の場合には、アンテナ切替監視状態を維持し、
前記速度低下監視状態であって、かつ、前記送信器より入力された送信通知と前記受信器より入力された到達確認信号の受信通知とを比較した結果、無線パケット信号の送信失敗が前記速度低下しきい値Ｄに規定される回数以上連続的に観測された場合（以下、「（ｄ２−１）の場合」という。）には、
通信品質が劣化したと判断し、現在使用している伝送速度よりも低い速度が利用可能であれば、使用する伝送速度を一段階低い速度に変更して現在の状態を維持し、一方、現在使用している伝送速度が利用可能な最低の伝送速度であれば、前記タイマーを停止し通常状態への遷移を行い、
前記速度低下監視状態であって、かつ、前記送信器より入力された送信通知と前記受信器より入力された到達確認信号の受信通知とを比較した結果、無線パケット信号の送信成功が前記速度増加しきい値Ｕに規定される回数以上連続的に観測された場合（以下、「（ｄ２−２）の場合」という。）には、
通信品質が極めて良好であると判断し、前記タイマーを停止し通常状態への遷移をおこない、
前記速度低下監視状態であって、かつ、前記タイマーのタイムアウトにより、本状態への遷移後の経過時間が規定値Ｔ２を越えたことを確認した場合（以下、「（ｄ２−３）の場合」という。）には、通常状態への遷移を行い、
前記速度低下監視状態であって、かつ、前記（ｄ２−１）の場合および（ｄ２−２）の場合および（ｄ２−３）の場合以外の場合には、速度低下監視状態を維持する、ことを特徴とする無線パケット通信装置である。
【００２０】
請求項３に記載の発明によれば、伝送速度及びアンテナ切替制御手段は、従来とは異なり、伝送速度定着しきい値を有し、通信品質が良好であると判断して伝送速度を増加させた後、安定的に通信が行えなかった場合に、直ちに直前の伝送速度に戻す制御を行う。
【００２１】
請求項４に記載の発明は、前記伝送速度及びアンテナ切替制御手段は、
速度増加しきい値Ｕｉ（ｉ＝１、２、・・・、ｎ）、速度低下しきい値Ｄｉ（ｉ＝１、２、・・・、ｎ）、速度定着しきい値Ｆｉ（ｉ＝１、２、・・・、ｎ）、
ならびに、使用する速度増加しきい値Ｕｉ（ｉ＝１、２、・・・、ｎ）と伝送速度との対応、使用する速度低下しきい値Ｄｉ（ｉ＝１、２、・・・、ｎ）と伝送速度との対応、使用する速度定着しきい値Ｆｉ（ｉ＝１、２、・・・、ｎ）と伝送速度との対応、
を管理し、
現在使用している伝送速度に応じて前記速度増加しきい値、速度低下しきい値、速度定着しきい値の値を動的に変更することを特徴とする請求項３に記載の無線パケット通信装置である。
【００２２】
請求項４に記載の発明によれば、伝送速度及びアンテナ切替制御手段は、従来とは異なり、複数の速度増加しきい値、速度低下しきい値、および速度定着しきい値を有し、通信品質の判定を行う際に、使用している伝送速度に応じて、速度増加しきい値、速度低下しきい値、および速度定着しきい値の値を使い分ける。
【００２３】
【発明の実施の形態】
＜請求項１に記載の発明および請求項２に記載の発明の実施の形態＞
図１は、請求項１に記載の発明および請求項２に記載の発明に係る無線パケット通信装置の構成例を示す図である。
【００２４】
送信データは、無線プロトコル処理手段１００を介して送信器１１０に入力され、無線周波数へ変調される。このとき、送信器１１０は、伝送速度制御手段１５０により指示された速度で変調を行い、送信終了後には送信通知を前記伝送速度制御手段１５０に出力する。
【００２５】
送信器１１０で生成した無線パケット信号は、送受切替器１３０に入力される。この送受切替器１３０は、無線パケット信号の送信時には、入力された無線パケット信号をアンテナ１４０が接続される共通端子に出力する。
【００２６】
一方、送受切替器１３０は、無線パケット信号の受信時には、共通端子に接続されたアンテナ１４０からの受信信号を、受信器１２０に入力する。受信器１２０は、入力された無線パケット信号を正しく復調できた場合には、データを無線プロトコル処理手投１００へ出力する。
【００２７】
無線プロトコル処理手段１００は、受信器１２０の出力信号を入力された場合には、到達確認信号を、送信器１１０、送受信切替器１３０、アンテナ１４０を介して、データを送信した無線パケット通信装置に対して送信する。
【００２８】
データを送信した無線パケット通信装置の受信器１２０は、送信したデータに対する到達確認信号をアンテナ１４０を介して受信した場合、この受信通知を伝送速度制御手段１５０に入力する。
【００２９】
伝送速度制御手段１５０は、送信通知に対応する受信通知が返された場合にはデータの送信に成功したとみなし、送信通知に対応する受信通知が規定時間以内に返されない場合には送信が失敗したとみなす。
【００３０】
請求項１に記載の発明に係る無線パケット通信装置の構成例においては、伝送速度制御手投１５０は、内部に速度増加しきい値Ｕ、速度低下しきい値Ｄ、速度定着しきい値Ｆを有し、これらのしきい値と過去のデータ送信結果の履歴から、送受信装置間の通信品質の判定を行う。
【００３１】
ここで、通信品質の判定は、次のように行われる。すなわち、伝送速度制御手段１５０は、送信データに対応する到達確認信号が、速度増加しきい値Ｕに規定される回数に渡り連続的に受信された場合には、通信品質が極めて良好であると判定する。
【００３２】
また、送信データに対応する到達確認信号が、一定時間以内に、速度低下しきい値Ｄに規定される回数に渡り連続的に受信されなかった場合には、通信品質が悪いと判定する。
【００３３】
さらに、伝送速度制御手段１５０は、伝送速度を増加させた後、データの送信が、速度定着しきい値Ｆに規定される回数に渡り連続的に失敗した場合には、通信品質が不十分であると判定する。そして、伝送速度制御手段１５０は、上述の通信品質の判定にもとづき、使用する伝送速度の決定を行う。
伝送速度の決定は、図３に記載の方法により、行われる。
【００３４】
図３は、伝送速度制御手段１５０による、使用する伝送速度の決定方法を示す図である。
同図において、条件Ａは通信品質が極めて良好であると判定されたされた場合、条件Ｂは通信品質が悪いと判定された場合、条件Ｃは通信品質が不十分であると判定された場合を意味する。
【００３５】
伝送速度制御手段１５０は、通常状態、速度増加監視状態、速度低下監視状態の３つの状態のいずれかにあり、下記の条件にしたがって状態遷移を行いながら、伝送速度の制御を行う。
【００３６】
［通常状態］
まず、伝送速度制御手段１５０は、通常状態にある場合、次の処理を行う。
伝送速度制御手段１５０は、通信品質が極めて良好であると判定された場合（条件Ａが成立した場合）には、現在使用している伝送速度に応じて次の処理を行う。すなわち、使用中の伝送速度よりもさらに高い速度が利用可能な場合には、使用する伝送速度を一段階増加させるとともに、速度増加監視状態への状態遷移を行う。
【００３７】
また、伝送速度制御手段１５０は、速度増加監視状態へ遷移してからの経過時間を計測するために、タイマーを始動する。
伝送速度制御手段１５０は、使用中の伝送速度よりも高い速度が利用できない場合、すなわち、現在使用している伝送速度が最高速度であった場合には、現在の状態にとどまる。
【００３８】
一方、伝送速度制御手段１５０は、通信品質が悪いと判定された場合（条件Ｂが成立した場合）には、使用中の伝送速度に応じて次の処理を行う。すなわち、使用中の伝送速度よりもさらに低い速度が利用可能な場合には、使用する伝送速度を一段階低下させるとともに速度低下監視状態への状態遷移を行う。
【００３９】
また、伝送速度制御手段１５０は、速度低下監視状態へ遷移してからの経過時間を計測するために、タイマーを始動する。
伝送速度制御手段１５０は、使用中の伝送速度よりも低い速度が利用できない場合、すなわち、現在使用している伝送速度が最低速度であった場合には、現在の状態を維持する。
【００４０】
［速度増加監視状態］
また、伝送速度制御手段１５０は、速度増加監視状態にある場合には、次の処理を行う。
【００４１】
伝送速度制御手段１５０は、通信品質が不十分であると判定された場合（条件Ｃが成立した場合）には、現在の状態に遷移する際に始動したタイマーを停止し、使用する伝送速度を一段階低下させるとともに、通常状態への状態遷移を行う。
【００４２】
伝送速度制御手段１５０は、通信品質が極めて良好であると判定された場合（条件Ａが成立した場合）には、使用中の伝送速度に応じて次の処理を行う。
すなわち、使用中の伝送速度よりもさらに高い速度が利用可能な場合には、使用する伝送速度を一段階増加させ、速度増加監視状態を維持する。
【００４３】
一方、伝送速度制御手段１５０は、使用中の伝送速度よりも高い速度が利用できない場合、すなわち、使用中の伝送速度が最高速度であった場合には、タイマーを停止し、通常状態への状態遷移を行う。
【００４４】
また、伝送速度制御手段１５０は、速度増加監視状態に遷移する際に始動したタイマーがタイムアウトし、現在の状態へ遷移してからの経過時間が規定値Ｔ１を超えたことを検出した場合には、通常状態への状態遷移を行う。
【００４５】
［速度低下監視状態］
伝送速度制御手段１５０は、速度低下監視状態にある場合には、次の処理を行う。
伝送速度制御手段１５０は、通信品質が悪いと判定された場合（条件Ｂが成立した場合）には、使用中の伝送速度に応じて次の処理を行う。すなわち、使用中の伝送速度よりもさらに低い速度が利用可能な場合には、使用する伝送速度を一段階低下させ、速度低下監視状態を維持する。
【００４６】
伝送速度制御手段１５０は、使用中の伝送速度よりも低い速度が利用できない場合、すなわち、使用中の伝送速度が最低速度であった場合には、タイマーを停止し、通常状態への状態遷移を行う。
【００４７】
一方、伝送速度制御手段１５０は、通信品質が極めて良好であると判定された場合（条件Ａが成立した場合）には、タイマーを停止し、通常状態への状態遷移を行う。
【００４８】
また、伝送速度制御手段１５０は、タイマーのタイムアウトにより、速度低下監視状態へ遷移してからの経過時間が規定値Ｔ２を超えたことを検出した場合には、通常状態への状態遷移を行う。
【００４９】
請求項２に記載の発明に係る無線パケット通信装置の構成例においては、伝送速度制御手段１５０が、内部に複数の速度増加しきい値Ｕｉ（ｉ＝１、２、・・・、ｎ）、速度低下しきい値Ｄｉ（ｉ＝１、２、・・・、ｎ）、速度定着しきい値Ｆｉ（ｉ＝１、２、・・・、ｎ）を有し、伝送速度に応じた通信品質の判定の際に使用するしきい値の値を動的に変化させ、上記制御を行う。
例えば、伝送速度制御手段１５０は、伝送速度Ｒ３を使用している場合には、通信品質の判定において速度増加しきい値Ｕ３、速度低下しきい値Ｄ３、速度定着しきい値Ｆ３を使用する。
【００５０】
無線パケットを送信する際には、使用する伝送速度に応じて伝送効率が異なる場合が多い。このため、速度増加しきい値、速度低下しきい値、および速度定着しきい値をそれぞれある値に固定した場合、使用中の伝送速度によっては伝送効率の低下が問題となるが、請求項２に記載の発明に係る無線パケット通信装置の構成例における伝送速度制御手段１５０によれば、効率の低下を抑制しつつ伝送速度の制御を行うことができる。
【００５１】
＜請求項３に記載の発明ならびに請求項４に記載の発明の実施の形態＞
図２は、請求項３に記載の発明ならびに請求項４に記載の発明に係る無線パケット通信装置の構成例を示す図である。
【００５２】
送信データは、無線プロトコル処理手段１００を介して送信器１１０に入力され、無線周波数へ変調される。このとき、送信器１１０は、伝送速度及びアンテナ切替制御手段１６０により指示された速度で変調を行い、送信終了後には送信通知を前記伝送速度及びアンテナ切替制御手段１６０に出力する。
【００５３】
送信器１１０で生成された無線パケット信号は、送受切替器１３０に入力される。送受切替器１３０は、無線パケット信号の送信時には、入力された無線パケット信号をアンテナ切替器１７０が接続される共通端子に出力する。
【００５４】
アンテナ切替器１７０は、伝送速度及びアンテナ切替制御手段１６０から入力される制御信号に基づき、接続された複数のアンテナ１４０ａ、１４０ｂの中から一のアンテナを選択し無線パケット信号を送信する。
【００５５】
一方、送受切替器１３０は、無線パケット信号の受信時には、共通端子に接続されたアンテナ切替器１７０からの受信信号を、受信器１２０に入力する。
受信器１２０は、入力された無線パケット信号を正しく復調できた場合には、復調したデータを、無線プロトコル処理手段１００へ出力する。
【００５６】
無線プロトコル処理手段１００は、この復調されたデータを入力された場合には、送信器１１０、送受切替器１３０、アンテナ切替器１７０、アンテナ１４０ａまたはアンテナ１４０ｂを介して、データを送信した無線パケット通信装置に対して、到達確認信号を送信する。
【００５７】
また、データを送信した無線パケット通信装置における受信器１２０は、送信したデータに対する到達確認信号を、アンテナ１４０ａまたはアンテナ１４０ｂ、アンテナ切替器１７０、送受切替器１３０を介して受信した場合、この受信通知を伝送速度制御手段１５０に与える。
【００５８】
伝送速度制御手段１５０は、送信通知に対応する受信通知が返された場合にはデータの送信が成功したとみなし、送信通知に対応する受信通知が規定時間以内に返されない場合には送信が失敗したとみなす。
【００５９】
請求項２に記載の発明に係る無線パケット通信装置の構成例においては、伝送速度及びアンテナ切替制御手段１６０は、内部に速度増加しきい値Ｕ、速度低下しきい値Ｄ、速度定着しきい値Ｆを有し、これらのしきい値と過去のデータ送信結果の履歴から、送受信装置間の通信品質の判定を行う。
【００６０】
ここで、通信品質の判定は、次のように行われる。
伝送速度及びアンテナ切替制御手段１６０は、送信データに対応する到達確認信号を、速度増加しきい値Ｕにより規定される回数に渡り連続的に受信した場合には、通信品質が極めて良好であると判定する。
【００６１】
また、伝送速度及びアンテナ切替制御手段１６０は、送信データに対応する到達確認信号が、一定時間以内に、速度低下しきい値Ｄにより規定される回数に渡り連続的に受信されない場合には、通信品質が悪いと判定する。
さらに、伝送速度及びアンテナ切替制御手段１６０は、伝送速度を増加させた後、データの送信が、速度定着しきい値Ｆにより規定される回数に渡り連続的に失敗した場合には、通信品質が不十分であると判定する。
【００６２】
伝送速度及びアンテナ切替制御手段１６０は、上述の通信品質の判定にもとづき、使用する伝送速度および使用するアンテナの決定を行う。
この使用する伝送速度および使用するアンテナの決定は、図４に記載の方法により行われる。
【００６３】
図４は、伝送速度及びアンテナ切替制御手段１６０による、使用する伝送速度および使用するアンテナの決定方法を示す図である。
同図において、条件Ａは通信品質が極めて良好であると判定されたされた場合、条件Ｂは通信品質が悪いと判定された場合、条件Ｃとは通信品質が不十分であると判定された場合を意味する。
【００６４】
伝送速度及びアンテナ切替制御手段１６０は、通常状態、速度増加監視状態、アンテナ切替監視状態、速度低下監視状態の４つの状態のいずれかにあり、下記の条件にしたがって状態遷移を行いながら、伝送速度及びアンテナ切替の制御を行う。
【００６５】
［通常状態］
伝送速度及びアンテナ切替制御手段１６０は、通常状態にある場合には次の処理を行う。
【００６６】
伝送速度及びアンテナ切替制御手段１６０は、通信品質が極めて良好であると判定された場合（条件Ａが成立した場合）には、使用中の伝送速度に応じて次の処理を行う。すなわち、使用中の伝送速度よりもさらに高い速度が利用可能な場合には、これまで使用していたアンテナの使用を継続しつつ、使用する伝送速度を一段階増加させるとともに、速度増加監視状態への状態遷移を行う。
【００６７】
伝送速度及びアンテナ切替制御手段１６０は、このとき、速度増加監視状態へ遷移してからの経過時間を計測するために、タイマーを始動する。
伝送速度及びアンテナ切替制御手段１６０は、使用中の伝送速度よりも高い速度が利用でさない場合、すなわち、現在使用している伝送速度が最高速度であった場合には、現在の状態を維持する。
【００６８】
一方、伝送速度及びアンテナ切替制御手段１６０は、通信品質が悪いと判定された場合（条件Ｂが成立した場合）には、これまで使用していたアンテナとは異なるアンテナヘの切替を実行するとともに、アンテナ切替監視状態への状態遷移を行う。またこのとき、伝送速度及びアンテナ切替制御手段１６０は、アンテナ切替監視状態へ遷移してからの経過時間を計測するために、タイマーを始動する。
【００６９】
［速度増加監視状態］
伝送速度及びアンテナ切替制御手段１６０は、速度増加監視状態にある場合には、次の処理を行う。
【００７０】
伝送速度及びアンテナ切替制御手段１６０は、通信品質が不十分であると判定された場合（条件Ｃが成立した場合）には、タイマーを停止し、これまで使用していたアンテナの使用を継続しつつ、使用する伝送速度を一段階低下させ、通常状態への状態遷移を行う。
【００７１】
伝送速度及びアンテナ切替制御手段１６０は、通信品質が極めて良好であると判定された場合（条件Ａが成立した場合）には、使用中の伝送速度に応じて次の処理を行う。すなわち、伝送速度及びアンテナ切替制御手段１６０は、使用中の伝送速度よりもさらに高い速度が利用可能な場合には、これまで使用していたアンテナの使用を継続しつつ、使用する伝送速度を一段階増加させ、速度増加監視状態を維持する。
【００７２】
伝送速度及びアンテナ切替制御手段１６０は、使用中の伝送速度よりも高い速度が利用できない場合、すなわち、使用中の伝送速度が最高速度であった場合には、タイマーを停止後に通常状態への状態遷移を行う。
【００７３】
また、伝送速度及びアンテナ切替制御手段１６０は、速度増加監視状態に遷移する際に始動したタイマーがタイムアウトし、速度増加監視状態に遷移してからの経過時間が規定値Ｔ１を超えたことを検出した場合には、通常状態への状態遷移を行う。
【００７４】
［アンテナ切替監視状態］
伝送速度及びアンテナ切替制御手段１６０は、アンテナ切替監視状態にある場合には、次の処理を行う。
【００７５】
伝送速度及びアンテナ切替制御手段１６０は、通信品質が悪いと判定された場合（条件Ｂが成立した場合）には、これまで使用していたアンテナとは異なるアンテナへの切替を実行するとともに、使用中の伝送速度に応じて次の処理を行う。すなわち、使用中の伝送速度よりもさらに低い速度が利用可能な場合には、使用する伝送速度を一段階低下させ、速度低下監視状態への状態遷移を行う。
【００７６】
伝送速度及びアンテナ切替制御手段１６０は、このとき、速度低下監視状態へ遷移してからの経過時間を計測するために、タイマーをリセットし、再始動する。伝送速度及びアンテナ切替制御手段１６０は、使用中の伝送速度よりも低い速度が利用できない場合、すなわち、使用中の伝送速度が最低速度であった場合には、タイマーを停止し、通常状態への状態遷移を行う。
【００７７】
一方、伝送速度及びアンテナ切替制御手段１６０は、通信品質が極めて良好であると判定された場合（条件Ａが成立した場合）には、これまで使用していたアンテナの使用を縦続しつつ、タイマーを停止し、通常状態への状態遷移を行う。
【００７８】
また、伝送速度及びアンテナ切替制御手段１６０は、タイマーのタイムアウトにより、アンテナ切替監視状態へ遷移してからの経過時間が規定値Ｔ３を超えた場合には、通常状態への状態遷移を行う。
【００７９】
［速度低下監視状態］
伝送速度及びアンテナ切替制御手段１６０は、速度低下監視状態にある場合には、次の処理を行う。
【００８０】
伝送速度及びアンテナ切替制御手段１６０は、通信品質が悪いと判定された場合（条件Ｂが成立した場合）には、使用中の伝送速度に応じて次の処理を行う。すなわち、伝送速度及びアンテナ切替制御手段１６０は、使用中の伝送速度よりもさらに低い速度が利用可能な場合には、これまで使用していたアンテナの使用を継続しつつ、使用する伝送速度を一段階低下させ、速度低下監視状態を維持する。
【００８１】
伝送速度及びアンテナ切替制御手段１６０は、現在使用している伝送速度よりも低い速度が利用できない場合、すなわち、現在使用している伝送速度が最低速度であった場合には、タイマーを停止し、通常状態への遷移を行う。
一方、通信品質が極めて良好であると判定された場合（条件Ａが成立した場合）には、タイマーを停止し、通常状態への遷移を行う。
【００８２】
また、伝送速度及びアンテナ切替制御手段１６０は、タイマーのタイムアウトにより、速度低下監視状態へ遷移してからの経過時間が規定値Ｔ２を超えたことを検出した場合には、通常状態へ状態遷移する。
【００８３】
請求項４に記載の発明に係る無線パケット通信装置の構成例においては、伝送速度及びアンテナ切替制御手段１６０は、内部に複数の速度増加しきい値Ｕｉ（ｉ＝１、２、・・・、ｎ）、速度低下しきい値Ｄｉ（ｉ＝１、２、・・・、ｎ）、速度定着しきい値Ｆｉ（ｉ＝１、２、・・・、ｎ）を有し、伝送速度に応じた通信品質の判定の際に使用するしきい値の値を動的に変化させ、請求項３に記載の発明に係る無線パケット通信装置の構成例において説明した制御を行う。
【００８４】
たとえば、伝送速度及びアンテナ切替制御手段１６０は、伝送速度Ｒ３を使用している場合には、通信品質の判定において速度増加しきい値Ｕ３、速度低下しきい値Ｄ３、速度定着しきい値Ｆ３を使用する。
【００８５】
無線パケットを送信する際には、使用する伝送速度に応じて伝送効率が異なる場合が多い。このため、速度増加しきい値、速度低下しきい値、および速度定着しきい値をそれぞれある値に固定した場合、使用中の伝送速度によっては伝送効率の低下が問題となるが、請求項４に記載の発明に係る無線パケット通信装置の構成例によれば、効率の低下を抑制しつつ伝送速度の制御を行うことができる。
【００８６】
【発明の効果】
以上説明したように、本発明によれば、通信品質が良好であると判断して伝送速度を増加させた後、安定的に通信が行えなかった場合に、直ちに直前の伝送速度に戻すことができる。
【００８７】
したがって、本発明によれば、従来と比較して、伝送速度の制御における効率の劣化を低減することが可能となる。
【００８８】
よって、本発明によれば、周波数利用率を改善できるため、送受信器間のリンクの観点からはスループットの向上を図ることができ、また、システム全体の観点からはシステム容量の増加を図ることができる。
【図面の簡単な説明】
【図１】請求項１に記載の発明および請求項２に記載の発明に係る無線パケット通信装置の構成例を示す図である。
【図２】請求項３に記載の発明ならびに請求項４に記載の発明に係る無線パケット送受信装置の構成例を示す図である。
【図３】伝送速度制御手段１５０による、使用する伝送速度の決定方法を示す図であ　る。
【図４】伝送速度及びアンテナ切替制御手段１６０による、使用する伝送速度および使用するアンテナの決定方法を示す図である
【図５】従来の無線パケット通信装置の例を示す図である。
【符号の説明】
１００　　無線プロトコル処理手段
１１０　　送信器
１２０　　受信器
１３０　　送受切替器
１４０、１４０ａ、１４０ｂ　　アンテナ
１５０　　伝送速度制御手段
１６０　　伝送速度およびアンテナ切替制御手段
１７０　　アンテナ切替器
５００　　無線プロトコル処理手段
５１０　　送信器
５２０　　受信器
５３０　　送受切替器
５４０　　アンテナ
５５０　　伝送速度制御手段
【図１】
2004015783.tif 000003
【図２】
2004015783.tif 000004
【図３】
2004015783.tif 000005
【図４】
2004015783.tif 000006
【図５】
2004015783.tif 000007